(57)【特許請求の範囲】
【請求項１】
被帯電体の表面に接触した状態で配置され、当該被帯電体の表面を帯電するロール状の帯電部材を備えた帯電装置において、
前記帯電部材は、導電性の基材と、当該導電性基材の表面に順次被覆される少なくとも弾性体層と表面層とを有し、前記表面層は、その両端部が弾性体層の両端部よりも軸方向の外側に突出しているとともに、当該表面層の両端部は、弾性体層に被覆され、かつ、開口されており、更に、前記表面層は、弾性体層の表面に接着されているとともに、帯電部材の軸方向に沿って一部未接着領域が設けられていることを特徴とする帯電装置。
【請求項２】
被帯電体の表面に接触した状態で配置され、当該被帯電体の表面を帯電するロール状の帯電部材を備えた帯電装置において、
前記帯電部材は、導電性の基材と、当該導電性基材の表面に順次被覆される少なくとも弾性体層と表面層とを有し、前記表面層は、その両端部が弾性体層の両端部よりも軸方向の外側に突出しているとともに、当該表面層の両端部は、弾性体層に被覆され、かつ、開口されており、前記帯電部材のニップ部における導電性基材の外径と、弾性体層及び表面層との厚みの関係が、
帯電部材のニップ部における導電性基材の外径＞弾性体層の厚み＋表面層の厚み
を満たし、更に、前記表面層は、弾性体層の表面に接着されているとともに、帯電部材の軸方向に沿って一部未接着領域が設けられていることを特徴とする帯電装置。
【請求項３】
前記表面層端部の突出部分は、表面層の厚みよりも長いことを特徴とする請求項１記載の帯電装置。
【請求項４】
前記表面層は、帯電部材の軸方向に沿った両端部に未接着領域が設けられていることを特徴とする請求項１に記載の帯電装置。
【請求項５】
前記導電性基材は、ニップ部の外径が他の部分よりも大きく設定されていることを特徴とする請求項１記載の帯電装置。
【請求項６】
前記帯電部材は、直径が１０ｍｍ以下に設定されていることを特徴とする請求項１記載の帯電装置。
【請求項７】
前記表面層は、弾性体層よりも長く形成されていることを特徴とする請求項１乃至６のいずれかに記載の帯電装置。
【請求項８】
前記帯電部材は、帯電部の長さと導電性基材の直径との比が、（帯電部の長さ）／（導電性基材の直径）≧４０であることを特徴とする請求項１乃至７のいずれかに記載の帯電装置。
【請求項９】
前記帯電部材に印加される電圧が、直流電圧のみであることを特徴とする請求項１乃至８のいずれかに記載の帯電装置。
【請求項１０】
前記帯電部材は、被帯電部材に対して周速差を有することを特徴とする請求項１乃至９のいずれかに記載の帯電装置。
【請求項１１】
前記表面層は、薄肉のチューブ状部材によって形成されていることを特徴とする請求項１乃至１０のいずれかに記載の帯電装置。
【請求項１２】
前記弾性体層は、発泡ウレタンからなることを特徴とする請求項１乃至１１のいずれかに記載の帯電装置。
【請求項１３】
前記帯電部材は、転写用もしくは除電用に使用されることを特徴とする請求項１乃至１２のいずれかに記載の帯電装置。
【請求項１４】
前記帯電部材は、その表面のアスカーＭＤ１硬度が７０°以下に設定されていることを特徴とする請求項１乃至１３のいずれかに記載の帯電装置。
【請求項１５】
前記帯電部材は、その表面のイオン化ポテンシャルが、４．８ｅＶ以上に設定されていることを特徴とする請求項１乃至１４のいずれかに記載の帯電装置。
【請求項１６】
像担持体の表面を、当該像担持体の表面に接触するロール状の帯電部材によって帯電することにより、前記像担持体上にトナー像を形成するとともに、前記帯電部材の上流側に、被帯電体の表面に付着した異物を除去するクリーニング手段を有しない画像形成装置において、
前記帯電部材は、導電性の基材と、当該導電性基材の表面に順次被覆される少なくとも弾性体層と表面層とを有し、前記表面層は、その両端部が弾性体層の両端部よりも軸方向の外側に突出しているとともに、当該表面層の両端部は、弾性体層に被覆され、かつ、開口されており、更に、前記表面層は、弾性体層の表面に接着されているとともに、帯電部材の軸方向に沿って一部未接着領域が設けられていることを特徴とする画像形成装置。
【請求項１７】
像担持体の表面を、当該像担持体の表面に接触するロール状の帯電部材によって帯電することにより、前記像担持体上にトナー像を形成するとともに、前記帯電部材の上流側が転写装置である、もしくは一時的に転写残トナーを保持する擬似的なクリーニング装置である画像形成装置において、
前記帯電部材は、導電性の基材と、当該導電性基材の表面に順次被覆される少なくとも弾性体層と表面層とを有し、前記表面層は、その両端部が弾性体層の両端部よりも軸方向の外側に突出しているとともに、当該表面層の両端部は、弾性体層に被覆され、かつ開口されており、更に、前記表面層は、弾性体層の表面に接着されているとともに、帯電部材の軸方向に沿って一部未接着領域が設けられていることを特徴とする画像形成装置。
【請求項１８】
前記帯電部材のニップ部における導電性基材の外径と、弾性体層及び表面層との厚みの関係が、
帯電部材のニップ部における導電性基材の外径＞弾性体層の厚み＋表面層の厚み
を満たし、かつ、少なくとも前記帯電部材と像担持体とが一体的にユニット化されており、当該ユニットが画像形成装置本体に対して着脱自在になっていることを特徴とする請求項１６又は１７記載の画像形成装置。
【発明の詳細な説明】
【０００１】
【発明の属する技術分野】
この発明は、電子写真方式を採用したプリンタや複写機、あるいはファクシミリ等の画像形成装置に用いられる帯電装置及びこれを用いた画像形成装置に関  し、特に、被帯電部材の表面に接触して、当該被帯電部材の表面を帯電する接触方式の帯電装置及びこれを用いた画像形成装置に関するものである。
【０００２】
【従来の技術】
従来、この種の電子写真方式を採用したプリンタや複写機、あるいはファクシミリ等の画像形成装置において、カラー画像を高速かつ高画質に形成可能とした装置としては、イエロー、マゼンタ、シアン、ブラック等の各色のトナー像を形成する４つの画像形成ユニットを、互いに水平方向に沿って並列的に配置し、これらの各画像形成ユニットで順次形成されるイエロー、マゼンタ、シアン、ブラックの各色のトナー像を、中間転写ベルト上に一旦多重に一次転写した後、この中間転写ベルトから記録用紙上に一括して二次転写し、記録用紙上にトナー像を定着することによって、カラー画像を形成するように構成した所謂フルカラータンデム機が、種々提案されており、実際に製品化されてきている。
【０００３】
ところで、かかるフルカラータンデム機は、イエロー、マゼンタ、シアン、ブラック等の各色のトナー像を形成する４つの画像形成ユニットを、互いに水平方向に沿って並列的に配置し、これらの４つの画像形成ユニットの下方にわたって中間転写ベルトを配設する必要があるため、そのままでは、装置の小型化が困難であり、デスクトップタイプのプリンタ等として製品化するには適していない。
【０００４】
そこで、上記フルカラータンデム機において、カラー画像を高速かつ高画質に形成可能という特徴を生かしつつ、装置の小型化を可能とする技術としては、例えば、特開平８−３６２８８号公報、特開平８−６２９２０号公報、特開平８−１６０８３９号公報、特開平９−３２５５６０号公報（特願平８−１６６７０５号の公開番号です。）等に開示されているように、所謂マイクロタンデム機に関するものが、既に種々提案されている。
【０００５】
かかるマイクロタンデム機に関する技術の場合には、イエロー、マゼンタ、シアン、ブラック等の４つの画像形成ユニットを、垂直方向に沿って配設するとともに、記録用紙を用紙搬送ベルトによって又は直接垂直方向に沿って搬送することにより、設置面積を小さくすることが可能であり、更に４つの画像形成ユニット自体を、感光体ドラムを小径化するなどして小型化することにより、装置全体の小型化が可能となっている。
【０００６】
このように、フルカラータンデム機を小型化するために、感光体ドラムを小径化した場合には、これに伴って、感光体ドラムの表面に接触して、当該感光体ドラムの表面を帯電する帯電ロールも、小径化する必要がある。また、上記感光体ドラムを小径化した場合には、当該感光体ドラムの表面に付着したトナー等の異物を除去するブレード状のクリーニング装置を、感光体ドラムの周囲に配設することが困難な場合や、感光体ドラムが小径なため、ブレードとの摩擦によるドラムの磨耗が顕著になり、ライフが短くなってしまうという問題もあるので、この場合には、ブレードクリーニング装置を使用しない、もしくは擬似的なクリーニング装置を有するクリーナーレス方式を採用せざるを得ない。
【０００７】
上記帯電ロールとしては、一般に、金属製シャフトの外周に、抵抗率が調整された導電性のゴム層を被覆したものが用いられるが、当該帯電ローラを小径化した場合には、ゴム層の硬度が高いため、両端部の接触圧力に対して、中央部の接触圧力が低くなり、この帯電ロールを感光体ドラムの表面に軸方向に沿って均一に接触させることが困難となって、帯電が不均一になるという問題点を有している。
【０００８】
そこで、かかる問題点を解決し、小径化した帯電ロールを感光体ドラムの表面に均一に接触させるためには、帯電ロールの外形をクラウン形状に形成したり、ゴム層に多量の可塑剤を添加して低硬度化を図ることも考えられる。
【０００９】
しかし、この場合には、帯電ロールの外形をクラウン形状に精度良く加工する必要があり、歩留まりの低下などによってコストアップにつながったり、可塑剤を多量に添加すると、可塑剤が浸み出て帯電に悪影響を及ぼす”ブリード”と呼ばれるトラブルの要因になるという他の問題点が新たに生じる。
【００１０】
そこで、これらの問題点を解決しつつ、帯電ローラを小径化した場合でも、均一な帯電を可能とする技術としては、例えば、特開平６−１７５４６５号公報、特開平８−４４１４２号公報、特開平１０−１８６８００号公報、特開平１１−１２５９５６号公報等に開示された技術が、既に提案されている。
【００１１】
上記特開平６−１７５４６５号公報に係る接触帯電装置は、少なくとも導電層及びその外側の抵抗層を有する柔軟なチューブ内に、回転可能に支持された芯金が配設され、前記芯金の周辺に設けられた導電性柔軟層により前記チューブが内側から支持され、前記チューブを当接させた被帯電体を前記チューブに帯電電圧を印加することにより帯電する電源が前記芯金に接続され、そして前記チューブの長手方向と同方向に前記導電層が前記抵抗層よりも短くされているように構成したものである。
【００１２】
また、特開平８−４４１４２号公報に係る帯電装置は、無端状の導電性可撓性シートを表面に有する帯電ローラから成る電子写真法に用いる帯電装置におい  て、前記導電性可撓性シートは、内側の低電気抵抗層と外側の高電気抵抗層との積層シートであり、該高電気抵抗層は、表面抵抗率が１０6 Ω／□以上、１０7 Ω／□未満の範囲にあり、該低電気抵抗層は、体積抵抗率が１０5 Ω・ｃｍ以下であるように構成したものである。
【００１３】
さらに、特開平１０−１８６８００号公報に係る導電性ローラは、複数の層を積層して構成された導電性ローラにおいて、前記層として少なくとも第１層と第２層とを備え、前記第２層は、前記第１層の外周側に隣接して配置され且つその抵抗が前記第１の層よりも高いものであり、前記第１層は、その端面の外周部が前記第２層に対してなす角度が鋭角であるように構成したものである。
【００１４】
また更に、上記特開平１１−１２５９５６号公報に係る帯電部材は、導電性発泡体と該導電性発泡体を被覆する導電性樹脂体とを有して成り被帯電体に接触して該被帯電体を帯電する帯電部材であって、前記導電性発泡体は、その電気抵抗が９×１０5   Ω以下であり、前記導電性樹脂体は、導電材で導電化され、その表面電気抵抗が１×１０5   Ω／□以上９×１０7   Ω／□以下の範囲であると共に、導電部材としての製品硬度がＡＳＫＥＲ−Ｆ９０°以下の硬度であるように構成したものである。
【００１５】
【発明が解決しようとする課題】
しかし、上記従来技術の場合には、次のような問題点を有している。すなわ  ち、上記特開平６−１７５４６５号公報、特開平８−４４１４２号公報、特開平１０−１８６８００号公報、特開平１１−１２５９５６号公報等に開示された帯電装置の場合には、帯電ロールの直径が、１２ｍｍや１４ｍｍ程度の一般的なものに適用することはできても、それ以上小径化することは難しく、特に直径が１０ｍｍ以下の極小径の帯電ロールでは、給電用の電極の近傍に位置するシャフトと、感光体ドラムの表面との間でリークが発生するという問題点を有している。
【００１６】
かかる問題点を解決するためには、帯電ロール1000の両端面まで表面層1001で被覆することも考えられるが、この場合には、図１８に示すように、帯電ロール1000端部の表面層1001が突出することによって、外形不良や、当該帯電ロールと感光体ドラム表面との不均一な接触、あるいは低温時などに帯電ロール端部の表面層内に閉じ込められた空気が収縮して表面層が凹むなど、環境変化による外形の変化などが発生するばかりか、帯電ロールの両端面まで表面層で被覆するた  め、加工コストがアップするという新たな問題点を有している。
【００１７】
さらに、上記各公報に開示された帯電ロールの場合には、当該帯電ロールを感光体ドラムの表面に均一に接触させる必要があるが、この帯電ロールは、小径化するほど、弾性層や表面層を構成するスポンジやチューブの外形精度を維持することが困難であり、帯電ロールが感光体ドラムの表面に接触して回転する際に、当該帯電ロールの表面が不均一に変形してしまい、図１９に示すように、ロールのピッチに対応した帯電ムラが発生しやすいという問題点をも有している。
【００１８】
そこで、この発明は、上記従来技術の問題点を解決するためになされたものであり、その目的とするところは、帯電ロールを小径化した場合でも、簡単な構造で端部のリークを防ぐことができ、しかも帯電の均一性に優れた帯電装置及びこれを用いた画像形成装置を提供することにある。
【００１９】
【課題を解決するための手段】
上記の課題を解決するため、請求項１に記載された発明は、被帯電体の表面に接触した状態で配置され、当該被帯電体の表面を帯電するロール状の帯電部材を備えた帯電装置において、
前記帯電部材は、導電性の基材と、当該導電性基材の表面に順次被覆される少なくとも弾性体層と表面層とを有し、前記表面層は、その両端部が弾性体層の両端部よりも軸方向の外側に突出しているとともに、当該表面層の両端部は、弾性体層に被覆され、かつ、開口されており、更に、前記表面層は、弾性体層の表面に接着されているとともに、帯電部材の軸方向に沿って一部未接着領域が設けられていることを特徴とする帯電装置である。
【００２０】
請求項２に記載された発明は、被帯電体の表面に接触した状態で配置され、当該被帯電体の表面を帯電するロール状の帯電部材を備えた帯電装置において、前記帯電部材は、導電性の基材と、当該導電性基材の表面に順次被覆される少なくとも弾性体層と表面層とを有し、前記表面層は、その両端部が弾性体層の両端部よりも軸方向の外側に突出しているとともに、当該表面層の両端部は、弾性体層に被覆され、かつ、開口されており、前記帯電部材のニップ部における導電性基材の外径と、弾性体層及び表面層との厚みの関係が、
帯電部材のニップ部における導電性基材の外径＞弾性体層の厚み＋表面層の厚み
を満たし、更に、前記表面層は、弾性体層の表面に接着されているとともに、帯電部材の軸方向に沿って一部未接着領域が設けられていることを特徴とする帯電装置である。
【００２１】
この請求項２に記載された発明では、帯電部材のニップ部における導電性基材の外径と、弾性体層及び表面層との厚みの関係が、
帯電部材のニップ部における導電性基材の外径＞弾性体層の厚み＋表面層の厚み
を満たすことにより、帯電ロールの小径化が達成でき、同時に導電性基材の小径化等に伴い、帯電ロールの軽量化も達成することができる。
【００２２】
また、請求項２に記載された発明では、表面層の両端部を開口した場合、その下側の層である弾性体層を形成する材料として、通常、使用されるウレタンは、水分を吸い易く、当該ウレタン等からなる弾性体層の厚みを薄くして体積を少なくすることで変形が防止でき、特に、端部の変形が防止できる。
【００２３】
請求項３に記載された発明は、前記表面層端部の突出部分が、表面層の厚みよりも長いことを特徴とする請求項１記載の帯電装置である。
【００２４】
上記表面層端部の突出部分を、表面層の厚みよりも長くすることによって、端部に電気的な勾配を持たせることができ、リークを確実に防止することができ  る。
【００２５】
請求項４に記載された発明は、前記表面層が、帯電部材の軸方向に沿った両端部に未接着領域が設けられていることを特徴とする請求項１に記載の帯電装置である。
【００２７】
請求項５に記載された発明は、前記導電性基材は、ニップ部の外径が他の部分よりも大きく設定されていることを特徴とする請求項１記載の帯電装置である。
【００２８】
導電性基材は、ニップ部の外径が他の部分よりも大きく設定されていると、当該導電性基材の端部からのリークが問題となりやすいため、請求項１乃至４等の構成が有効となる。
【００２９】
請求項６に記載された発明は、前記帯電部材は、直径が１０ｍｍ以下に設定されていることを特徴とする請求項１記載の帯電装置である。
【００３０】
帯電部材の直径が１０ｍｍ以下に設定されている場合には、当該帯電部材の端部からのリークが問題となりやすいため、請求項１乃至４等の構成が有効とな  る。
【００３１】
また、請求項７に記載された発明は、前記表面層が、弾性体層よりも長く形成されていることを特徴とする請求項１乃至６のいずれかに記載の帯電装置であ  る。
【００３２】
さらに、請求項８に記載された発明は、前記帯電部材は、帯電部の長さと導電性基材の直径との比が、（帯電部の長さ）／（導電性基材の直径）≧４０であることを特徴とする請求項１乃至７のいずれかに記載の帯電装置である。
【００３５】
更に、請求項９に記載された発明は、前記帯電部材に印加される電圧が、直流電圧のみであることを特徴とする請求項１乃至８のいずれかに記載の帯電装置である。
【００３６】
また更に、請求項１０に記載された発明は、前記帯電部材が、被帯電部材に対して周速差を有することを特徴とする請求項１乃至９のいずれかに記載の帯電装置である。
【００４０】
又、請求項１１に記載された発明は、前記表面層が、薄肉のチューブ状部材によって形成されていることを特徴とする請求項１乃至１０のいずれかに記載の帯電装置である。
【００４１】
更に、請求項１２に記載された発明は、前記弾性体層が、発泡ウレタンからなることを特徴とする請求項１乃至１１のいずれかに記載の帯電装置である。
【００４２】
また、請求項１３に記載された発明は、前記帯電部材が、転写用もしくは除電用に使用されることを特徴とする請求項１乃至１２のいずれかに記載の帯電装置である。
【００４３】
さらに、請求項１４に記載された発明は、前記帯電部材は、その表面のアスカーＭＤ１硬度が７０°以下に設定されていることを特徴とする請求項１乃至１３のいずれかに記載の帯電装置である。
【００４４】
また、請求項１５に記載された発明は、前記帯電部材は、その表面のイオン化ポテンシャルが、４．８ｅＶ以上に設定されていることを特徴とする請求項１乃至１４のいずれかに記載の帯電装置である。
【００４５】
又さらに、請求項１６に記載された発明は、像担持体の表面を、当該像担持体の表面に接触するロール状の帯電部材によって帯電することにより、前記像担持体上にトナー像を形成するとともに、前記帯電部材の上流側に、被帯電体の表面に付着した異物を除去するクリーニング手段を有しない画像形成装置において、
前記帯電部材は、導電性の基材と、当該導電性基材の表面に順次被覆される少なくとも弾性体層と表面層とを有し、前記表面層は、その両端部が弾性体層の両端部よりも軸方向の外側に突出しているとともに、当該表面層の両端部は、弾性体層に被覆され、かつ、開口されており、更に、前記表面層は、弾性体層の表面に接着されているとともに、帯電部材の軸方向に沿って一部未接着領域が設けられていることを特徴とする画像形成装置である。
【００４６】
更に、請求項１７に記載された発明は、像担持体の表面を、当該像担持体の表面に接触するロール状の帯電部材によって帯電することにより、前記像担持体上にトナー像を形成するとともに、前記帯電部材の上流側が転写装置である、もしくは一時的に転写残トナーを保持する擬似的なクリーニング装置である画像形成装置において、
前記帯電部材は、導電性の基材と、当該導電性基材の表面に順次被覆される少なくとも弾性体層と表面層とを有し、前記表面層は、その両端部が弾性体層の両端部よりも軸方向の外側に突出しているとともに、当該表面層の両端部は、弾性体層に被覆され、かつ開口されており、更に、前記表面層は、弾性体層の表面に接着されているとともに、帯電部材の軸方向に沿って一部未接着領域が設けられていることを特徴とする画像形成装置である。
【００４７】
更に、請求項１８に記載された発明は、前記帯電部材のニップ部における導電性基材の外径と、弾性体層及び表面層との厚みの関係が、
帯電部材のニップ部における導電性基材の外径＞弾性体層の厚み＋表面層の厚み
を満たし、かつ、少なくとも前記帯電部材と像担持体とが一体的にユニット化されており、当該ユニットが画像形成装置本体に対して着脱自在になっていることを特徴とする請求項１６又は１７記載の画像形成装置である。
【００４８】
【発明の実施の形態】
以下に、この発明の実施の形態について図面を参照して説明する。
【００４９】
実施の形態１
図２はこの発明の実施の形態１に係る帯電装置を適用した画像形成装置としてのタンデム型のフルカラープリンタを示すものである。
【００５０】
図２において、01はタンデム型のフルカラープリンタの本体を示すものであ  り、このプリンタ本体01の内部には、大別して、フルカラーの画像形成を行うプリントヘッドデバイス（Print Head Device ）02と、このプリントヘッドデバイス02の像担持体としての４つの感光体ドラム11, 12, 13, 14に画像露光を施す露光装置としてのＲＯＳ（Raster Output Scanner ）03と、上記プリントヘッドデバイス02の各色の現像装置41, 42, 43, 44に対応する色のトナーを供給する４つのトナーカートリッジ04Y,04M,04C,04K と、上記プリントヘッドデバイス02に記録媒体としての記録用紙Ｐを供給する給紙カセット05と、上記プリントヘッドデバイス02からトナー像が転写された用紙Ｐに対して、定着処理を施す定着装置06と、この定着装置06によって片面に画像が定着された用紙Ｐを、表裏を反転した状態で、再度プリントヘッドデバイス02の転写部へと搬送する両面用搬送経路07と、プリンタ本体01の外部から所望の用紙Ｐを給紙する手差し給紙手段08と、プリンタの動作を制御するコントローラ09と、画像信号に対して画像処理を施す画像処理回路や高圧電源回路等からなる電気回路10とが設けられている。なお、図２中、Ｔは画像が形成された用紙Ｐを排出する排出トイレを示すものであり、この排出トイレT は、プリンタ本体01の上部に一体的に配置されている。
【００５１】
上記プリンタ本体01の内部に配設される種々の部材のうち、露光装置としてのＲＯＳ03は、イエロー（Ｙ）、マゼンタ（Ｍ）、シアン（Ｃ）、ブラック（Ｋ）の各色に対応した画像データに基づいて点灯駆動される４つの半導体レーザや、これら４つの半導体レーザから出射される４本のレーザ光を、偏向走査するためのｆ−θレンズやポリゴンミラー、あるいは複数枚の反射ミラーなどから構成されている。
【００５２】
図３はこの発明の実施の形態１に係る画像形成装置としてのタンデム型フルカラープリンタのプリントヘッドデバイスを示すものである。尚、図３中の矢印  は、各回転部材の回転方向を示している。
【００５３】
このプリントヘッドデバイス02は、図３に示すように、イエロー（Ｙ）、マゼンタ（Ｍ）、シアン（Ｃ）、ブラック（Ｋ）用の各感光体ドラム（像担持体）1 1, 12, 13, 14 を有する画像形成ユニット1, 2, 3, 4と、これら感光体ドラム1 1, 12, 13, 14 に接触する一次帯電用の帯電ロール（接触型帯電装置）21, 22, 23, 24と、イエロー（Ｙ）、マゼンタ（Ｍ）、シアン（Ｃ）、ブラック（Ｋ）の各色のレーザ光31, 32, 33, 34を照射するＲＯＳ（露光装置）03（図２参照）  と、上記感光体ドラム11, 12, 13, 14上に形成された静電潜像を、イエロー    （Ｙ）、マゼンタ（Ｍ）、シアン（Ｃ）、ブラック（Ｋ）の各色のトナーで現像する現像装置41, 42, 43, 44と、上記４つの感光体ドラム11, 12, 13, 14のうちの２つの感光体ドラム11, 12に接触する第１の一次中間転写ドラム（中間転写  体）51及び他の２つの感光体ドラム13, 14に接触する第２の一次中間転写ドラム（中間転写体）52と、上記第１、第２の一次中間転写ドラム51, 52に接触する二次中間転写ドラム（中間転写体）53と、この二次中間転写ドラム53に接触する最終転写ロール（転写部材）60とで、その主要部が構成されている。
【００５４】
感光体ドラム11, 12, 13, 14は、共通の接平面M を有するように一定の間隔をおいて配置されている。また、第１の一次中間転写ドラム51及び第２の一次中間転写ドラム52は、各回転軸が該感光体ドラム11, 12, 13, 14軸に対し平行かつ所定の対称面を境界とした面対称の関係にあるように配置されている。さらに、二次中間転写ドラム53は、該感光体ドラム11, 12, 13, 14と回転軸が平行であるように配置されている。
【００５５】
各色毎の画像情報に応じた信号は、電気回路10（図２参照）に配設された画像処理回路によりラスタライジングされてＲＯＳ03に入力される。このＲＯＳ03では、イエロー（Ｙ）、マゼンタ（Ｍ）、シアン（Ｃ）、ブラック（Ｋ）の各色のレーザ光31, 32, 33, 34が変調され、対応する色の感光体ドラム11, 12, 13, 14に照射される。
【００５６】
上記各感光体ドラム11, 12, 13, 14の周囲では、周知の電子写真方式による各色毎の画像形成プロセスが行なわれる。まず、上記感光体ドラム11, 12, 13, 14としては、例えば、直径２０ｍｍのＯＰＣ感光体を用いた感光体ドラムが用いられ、これらの感光体ドラム11, 12, 13, 14は、例えば、95ｍｍ／ｓｅｃの回転速度で回転駆動される。上記感光体ドラム11, 12, 13, 14の表面は、後に詳述するが、図３に示すように、接触型帯電装置としての帯電ロール21, 22, 23, 24に、約-900ＶのＤＣ電圧を印加することによって、例えば約-300Ｖ程度に帯電され  る。また、感光体ドラム11, 12, 13, 14の表面を帯電させるために、この実施の形態では、ＤＣのみ印加の帯電方式をとっているが、ＡＣ＋ＤＣ印加の帯電方式を用いても良い。
【００５７】
その後、感光体ドラム11, 12, 13, 14の表面には、露光装置としてのＲＯＳ03によってイエロー（Ｙ）、マゼンタ（Ｍ）、シアン（Ｃ）、ブラック（Ｋ）の各色に対応したレーザ光31, 32, 33, 34が照射され、各色毎の入力画像情報に応じた静電潜像が形成される。感光体ドラム11, 12, 13, 14は、ＲＯＳ03で静電潜像が書き込まれた際に、その画像露光部の表面電位は-60 Ｖ以下程度にまで除電される。
【００５８】
また、上記感光体ドラム11, 12, 13, 14の表面に形成されたイエロー（Ｙ）、マゼンタ（Ｍ）、シアン（Ｃ）、ブラック（Ｋ）の各色に対応した静電潜像は、対応する色の現像装置41, 42, 43, 44によって現像され、感光体ドラム11, 12, 13, 14上にイエロー（Ｙ）、マゼンタ（Ｍ）、シアン（Ｃ）、ブラック（Ｋ）の各色のトナー像として可視化される。
【００５９】
この実施の形態では、現像装置41, 42, 43, 44として、磁気ブラシ接触型の二成分現像方式を採用しているが、この発明の適用範囲はこの現像方式に限定されるものではなく、非接触型の現像方式や一成分現像方式など、他の現像方式においてもこの発明を充分に適用することができることは勿論である。
【００６０】
現像装置41, 42, 43, 44には、それぞれ色の異なったイエロー（Ｙ）、マゼンタ（Ｍ）、シアン（Ｃ）、ブラック（Ｋ）色のトナーと、キャリアからなる現像剤が充填されている。これらの現像装置41, 42, 43, 44には、図２に示すよう  に、対応する色のトナーカートリッジ04Y,04M,04C,04K からトナーが補給されると、この補給されたトナーは、オーガー404 で充分にキャリアと攪拌されて摩擦帯電される。現像ロール401 の内部には、複数の磁極を所定の角度に配置したマグネットロール（不図示）が固定した状態で配置されている。この現像ロール401 に現像剤を搬送するパドル403 によって、当該現像ロール401 の表面近傍に搬送された現像剤は、現像剤量規制部材402 によって現像部に搬送される量が規制される。この実施の形態では、上記現像剤の量は、30〜50ｇ／ｍ2 であり、ま  た、このとき現像ロール401 上に存在するトナーの帯電量は、概ね-20 〜35μＣ／g 程度である。
【００６１】
上記現像ロール401 上に供給されたトナーは、マグネットロールの磁力によって、キャリアとトナーで構成された磁気ブラシ状となっており、この磁気ブラシが感光体ドラム11, 12, 13, 14と接触している。この現像ロール401 にAC＋DCの現像バイアス電圧を印加して、現像ロール401 上のトナーを感光体ドラム11, 1 2, 13, 14 上に形成された静電潜像に現像することにより、トナー像が形成される。この実施の形態では、例えば、現像バイアス電圧のAC成分が4 ｋＨｚ、1.5 ｋＶppで、ＤＣ成分が-230Ｖ程度に設定されている。
【００６２】
この実施の形態では、上記現像装置41, 42, 43, 44において、トナーとして略球形状のトナーである所謂”球形トナー”であって、その平均粒径が３〜１０μｍ程度のものが使用され、例えば、ブラック色のトナーの平均粒径は８μｍ、カラートナーの平均粒径は７μｍに設定される。
【００６３】
上記球形トナーは、例えば、分散重合法によって凝集成長させることによって製造される。製造工程としては、スチレンアクリル粒子分散液と色剤粒子の分散液、また、ワックス粒子の分散液を混合し、粒子を凝集させる工程、凝集粒子に加熱して癒着させる工程、洗浄工程を経て、球形形状のトナーが精製される。分散粒子の凝集工程における温度、凝集時間、分散液濃度等の制御により、トナー粒径、形状をコントロールすることができる。ここで、用いた重合トナーは、下記式で表される形状係数（ＳＦ）を用いて表した場合、
ＳＦ＝（ＭＬ2 π／４Ａ）×１００
（ＭＬ：トナー粒子の最大長、Ａ：トナー粒子投影像の面積）
１００≦ＳＦ≦１４０である。さらに詳しくは、重合トナー１７の形状係数が中心値１３０に対し±２の範囲となるように設定されている。
【００６４】
形状係数ＳＦは、スライドグラス上に散布したトナーの光学顕微鏡像をビデオカメラを通じてルーゼックス画像解析装置に取り込み、５０個以上のトナーについて計算し、個数平均値を求めて得ている。
【００６５】
また、上記現像装置41, 42, 43, 44として、磁気ブラシ接触型の二成分現像方式を採用し、後述するように、クリーナーレス方式を採用すると、感光体ドラム11, 12, 13, 14の表面に付着したトナーやキャリア、あるいはトナーの外添剤等の異物は、そのまま帯電位置に進入し、帯電ロール21, 22, 23, 24の表面に付着する虞れがある。その際、トナーの径よりも大きな数１０μｍの外径を有するキャリアは、帯電ロール21, 22, 23, 24の表面に付着すると、パッシェン放電が生じる最小値であるパッシェンミニマム（＝８μｍ）よりも大きいため、帯電不良が発生する。
【００６６】
次に、上記各感光体ドラム11, 12, 13, 14上に形成されたイエロー（Ｙ）、マゼンタ（Ｍ）、シアン（Ｃ）、ブラック（Ｋ）の各色のトナー像は、第１の一次中間転写ドラム51及び第２の一次中間転写ドラム52上に、静電的に二次転写される。感光体ドラム11, 12上に形成されたイエロー（Ｙ）およびマゼンタ（Ｍ）色のトナー像は、第１の一次中間転写ドラム51上に、感光体ドラム13, 14上に形成されたシアン（Ｃ）、ブラック（Ｋ）色のトナー像は、第２の一次中間転写ドラム52上に、それぞれ転写される。従って、第１の一次中間転写ドラム51上には、感光体ドラム11または12のどちらから転写された単色像と、感光体ドラム11及び12の両方から転写された２色のトナー像が重ね合わされた二重色像が形成されることになる。また、第２の一次中間転写ドラム52上にも、感光体ドラム13,14 から同様な単色像と二重色像が形成される。
【００６７】
上記第１及び第２の一次中間転写ドラム51,52 上に感光体ドラム11,12,13,14 からトナー像を静電的に転写するために必要な表面電位は、+250〜500 Ｖ程度である。この表面電位は、トナーの帯電状態や雰囲気温度、湿度によって最適値に設定されることになる。この雰囲気温度や湿度は、雰囲気温度や湿度によって抵抗値が変化する特性を持った部材の抵抗値を検知することで簡易的に知ることが可能である。上述のように、トナーの帯電量が-20 〜35μＣ／g の範囲内にあ  り、常温常湿環境下にある場合には、第１及び第２の一次中間転写ドラム51,52 の表面電位は、+380Ｖ程度が望ましい。
【００６８】
この実施の形態で用いる第１、第２の一次中間転写ドラム51, 52は、例えば、外径が42ｍｍに形成され、抵抗値は１０8 Ω程度に設定される。第１、第２の一次中間転写ドラム51, 52は、単層、あるいは複数層からなる表面が可撓性、もしくは弾性を有する円筒状の回転体であり、一般的にはＦｅやＡｌ等からなる金属製コアとしての金属パイプの上に、導電性シリコーンゴム等で代表される低抵抗弾性ゴム層（Ｒ＝102 〜103 Ω）が、厚さ0.1 〜10mm程度に設けられている。更に、第１、第２の中間転写ドラム51, 52の最表面は、代表的にはフッ素樹脂微粒子を分散させたフッ素ゴムを厚さ3 〜100 μｍの高離型層（Ｒ＝105 〜109 Ω）として形成し、シランカップリング剤系の接着剤（プライマ）で接着されてい  る。ここで重要なのは、抵抗値と表面の離型性であり、高離型層の抵抗値がＲ＝105 〜109 Ω程度であり、高離型性を有する材料であれば、特に材料は限定されない。
【００６９】
このように第１、第２の一次中間転写ドラム51, 52上に形成された単色又は二重色のトナー像は、二次中間転写ドラム53上に静電的に３次転写される。従っ  て、二次中間転写ドラム53上には、単色像からイエロー（Ｙ）、マゼンタ      （Ｍ）、シアン（Ｃ）、ブラック（Ｋ）色の四重色像までの最終的なトナー像が形成されることになる。
【００７０】
この二次中間転写ドラム53上へ第１及び第２の一次中間転写ドラム51,52 からトナー像を静電的に転写するために必要な表面電位は、+600〜1200Ｖ程度であ  る。この表面電位は、感光体ドラム11, 12, 13, 14から第１の一次中間転写ドラム51及び第２の一次中間転写ドラム52へ転写するときと同様に、トナーの帯電状態や雰囲気温度、湿度によって最適値に設定されることになる。また、転写に必要なのは、第１及び第２の一次中間転写ドラム51,52 と二次中間転写ドラム53との間の電位差であるので、第１及び第２の一次中間転写ドラム51,52 の表面電位に応じた値に設定することが必要である。上述のように、トナーの帯電量が-20 〜35μＣ／g の範囲内にあり、常温常湿環境下であって、第１及び第２の一次中間転写ドラム51,52 の表面電位が+380Ｖ程度の場合には、二次中間転写ドラム53の表面電位は、+880Ｖ程度、つまり第１及び第２の一次中間転写ドラム51,52 と二次中間転写ドラム53との間の電位差は、+500Ｖ程度に設定することが望まし  い。
【００７１】
この実施の形態で用いる二次中間転写ドラム53は、例えば、外径が第１及び第２の一次中間転写ドラム51,52 と同じ42ｍｍに形成され、抵抗値は１０11Ω程度に設定される。また、上記二次中間転写ドラム53も第１、第２の一次中間転写ドラム51, 52と同様、単層、あるいは複数層からなる表面が可撓性、もしくは弾性を有する円筒状の回転体であり、一般的にはＦｅやＡｌ等からなる金属製コアとしての金属パイプの上に、導電性シリコーンゴム等で代表される低抵抗弾性ゴム層（Ｒ＝102 〜103 Ω）が、厚さ0.1 〜10mm程度に設けられている。更に、二次中間転写ドラム53の最表面は、代表的にはフッ素樹脂微粒子を分散させたフッ素ゴムを厚さ3 〜100 μｍの高離型層として形成し、シランカップリング剤系の接着剤（プライマ）で接着されている。ここで、二次中間転写ドラム53の抵抗値  は、第１及び第２の一次中間転写ドラム51,52 よりも高く設定する必要がある。そうしないと、二次中間転写ドラム53が第１及び第２の一次中間転写ドラム51,52 を帯電してしまい、第１及び第２の一次中間転写ドラム51,52 の表面電位の制御が難しくなる。このような条件を満たす材料であれば、特に材料は限定されない。
【００７２】
次に、上記二次中間転写ドラム53上に形成された単色像から四重色像までの最終的なトナー像は、最終転写ロール60によって、用紙搬送路を通る用紙Ｐに３次転写される。この用紙Ｐは、不図示の紙送り工程を経て用紙搬送ロール90を通過し、二次中間転写ドラム53と最終転写ロール60のニップ部に送り込まれる。この最終転写工程の後、用紙上に形成された最終的なトナー像は、定着器70によって定着され、一連の画像形成プロセスが完了する。
【００７３】
最終転写ロール60は、例えば、外径が20ｍｍに形成され、抵抗値は１０8 Ω程度に設定される。この最終転写ロール60は、図４に示すように、金属シャフト61の上にウレタンゴム等からなる被覆層62を設け、その上に必要に応じてコーティングを施して構成されている。最終転写ロール60に印加される電圧は、雰囲気温度、湿度、用紙の種類（抵抗値等）等によって最適値が異なり、概ね+1200 〜5000Ｖ程度である。この実施の形態では、定電流方式を採用しており、常温常湿環境下で約+6μＡの電流を通電して、ほぼ適正な転写電圧(+1600〜2000Ｖ) を得ている。
【００７４】
これら一連の転写工程においては、各転写工程の転写部位をトナー像が通過するとき、パッシェン放電や電荷注入により、（−）帯電している像中の正極性トナーの一部が逆極性の（＋）帯電トナーとなることがある。この（＋）帯電トナーは、次工程へ転写されずに、上流側に逆流することになるので、最もマイナス電位が高い帯電装置21, 22, 23, 24に付着、堆積する。これら帯電装置21, 22, 23, 24のトナーが付着した部分は、放電が活発となり、感光体ドラム11, 12, 1 3, 14 の表面電位が高くなる傾向になるため、トナーの付着が多い部分、トナーの付着が少ない部分、トナーの付着がない部分で感光体ドラム11, 12, 13, 14の表面電位にムラが生じることになる。感光体ドラム11, 12, 13, 14の表面電位にムラが生じると、静電潜像を形成させるために当該感光体ドラム11, 12, 13, 14の表面に画像を一様に露光しても、潜像電位にムラが生じてしまい、現像量に違いが出てきてしまうので、特に中間調画像を現像しようとすると、濃度ムラが目立つことになる。
【００７５】
しかも、上記タンデム型のフルカラープリンタは、帯電ロール21, 22, 23, 24の上流側に、感光体ドラム11, 12, 13, 14の表面に付着した異物を除去するクリーニング装置を備えておらず、所謂クリーナーレスの画像形成装置となってい  る。そのため、このタンデム型のフルカラープリンタでは、次に説明するよう  に、クリーニング装置以外に、感光体ドラム11, 12, 13, 14の表面に付着したトナー等の異物を除去するシステムを採用している。ただし、そのままでは、感光体ドラム11, 12, 13, 14の表面に強く付着したトナー等を除去することが困難な場合もある。
【００７６】
よって、この実施の形態に係るタンデム型のフルカラープリンタでは、図３に示すように、感光体ドラム11, 12, 13, 14の表面に付着したトナー等の異物や、第１及び第２の一次中間転写ドラム51,52 、並びに二次中間転写ドラム53の表面に付着したトナー等の異物を、掻き乱すことによって、クリーニング装置以外の除去システムを有効に作用させる、回転駆動されるブラシ等からなるリフレッシャーロールと呼ばれる掻乱部材91，9 ２，93，94，95，96，9 ７が設けられている。
【００７７】
そこで、このような帯電装置21, 22, 23, 24に付着したトナーによる濃度ムラの発生を防ぐために、この実施の形態では、印字動作前、印字動作後、連続印字持の所定枚数毎など、ある所定のタイミングで以下のようなクリーニング動作を行なうようになっている。
【００７８】
帯電装置21, 22, 23, 24、感光体ドラム11, 12, 13, 14、第１及び第２の一次中間転写ドラム51,52 、二次中間転写ドラム53、最終転写ロール60に、最終転写ロール60が最もマイナス電位が高くなるように、順々に電位勾配をつけた電圧を印加することによって、印字動作中に、帯電装置21, 22, 23, 24に付着、堆積した逆極性の（＋）帯電トナーを、最終転写ロール60まで順々に転写して移動し、最終転写ロール60に接触して設けたブレードなどの最終クリーニング部材801 を含んだクリーニング装置80によって回収する。
【００７９】
この実施の形態では、帯電装置21, 22, 23, 24の表面電位を０Ｖ、感光体ドラム11, 12, 13, 14の表面電位を-300Ｖ、第１及び第２の一次中間転写ドラム51,52 の表面電位を-800Ｖ、二次中間転写ドラム53の表面電位を-1300 Ｖ、最終転写ロール60の表面電位を-2000 Ｖに設定している。この電位勾配は、各部材の金属部（シャフト、パイプ）に電圧を給電する方式によって得ているが、例えば、第１及び第２の一次中間転写ドラム51,52 又は二次中間転写ドラム53などを電気的に浮かせて、これら部材の抵抗値の関係によって所望の表面電位が得られる場合には、そのような方法をとっても良い。このようなマイナス印加クリーニングモード、つまり逆極性の（＋）帯電トナー回収モードによって帯電装置21, 22, 2 3, 24 に付着したトナーによる濃度ムラの発生を防ぐことができる。
【００８０】
なお、必要に応じて、通常の（−）極性に帯電したトナーであって、感光体ドラム11, 12, 13, 14や第１及び第２の一次中間転写ドラム51,52 、及び二次中間転写ドラム53の表面に残留したトナーを、同様の方法にて（印加する電圧の極性のみを反転することによって）除去することができる。
【００８１】
上記クリーニング装置80は、図５に示すように、最終転写ロール60の表面をクリーニングするブレード状の最終クリーニング部材801 を備えている。また、上記最終転写ロール60の外周には、当該最終転写ロール60上に転写される濃度制御用やカラーレジずれ制御用のパターンを検出する光学濃度センサ100 が、半径方向の延長線上に位置するように、ホルダ101 内に固定した状態で取り付けられている。なお、図５中、802 はトナー回収ボックス、803 は最終転写ロール60の支持フレーム、804 は支持フレーム803 に設けられた除電器、805 はバイアスプレートをそれぞれ示している。
【００８２】
ところで、この実施の形態に係る帯電装置は、被帯電体の表面に接触した状態で配置され、当該被帯電体の表面を帯電するロール状の帯電部材を備えた帯電装置において、前記帯電部材は、導電性の基材と、当該導電性基材の表面に順次被覆される少なくとも弾性体層と表面層とを有し、前記表面層は、その両端部が弾性体層の両端部よりも軸方向の外側に突出しているとともに、当該表面層の両端部は、弾性体層に被覆されたままの形状で円筒形状に開口されているように構成したものである。
【００８３】
また、この実施の形態に係る帯電装置は、帯電部材が、導電性の基材と、当該導電性基材の表面に順次被覆される少なくとも弾性体層と表面層とを有し、前記表面層は、その両端部が弾性体層の両端部よりも軸方向の外側に突出しているとともに、当該表面層の両端部は、弾性体層に被覆され、かつ、開口されており、前記帯電部材のニップ部における導電性基材の外径と、弾性体層及び表面層との厚みの関係が、
帯電部材のニップ部における導電性基材の外径＞弾性体層の厚み＋表面層の厚み
を満たすように構成されている。
【００８４】
また、この実施の形態では、前記帯電部材は、帯電部の長さと導電性基材の直径との比が、（帯電部の長さ）／（導電性基材の直径）≧４０であるように構成されている。
【００８５】
さらに、この実施の形態では、前記表面層が、弾性体層の表面に接着されているとともに、帯電部材の軸方向に沿って一部未接着領域が設けられるように構成されている。
【００８６】
また、この実施の形態に係る帯電装置は、前記帯電部材に印加される電圧が、直流電圧のみであるように構成されている。
【００８７】
図１はこの実施の形態１に係る帯電装置を示す構成図である。この帯電装置  は、例えば、上述したように、タンデム型フルカラープリンタの帯電ロール21, 22, 23, 24として用いられる。
【００８８】
この帯電装置は、図１及び図６、図７に示すように、帯電部材としての帯電ロール21, 22, 23, 24を備えており、この帯電ロール21, 22, 23, 24は、導電性の基材としての金属製シャフト201 と、当該金属製シャフト201 の表面に順次被覆される弾性体層202 と表面層203 とを有している。なお、上記金属製シャフト201 の表面に順次被覆される層としては、弾性体層202 と表面層203 以外に、他の層、例えば、表面をコートするコート層などを含むものであっても良い。
【００８９】
上記金属製シャフト201 は、ステンレスや鉄、あるいはアルミニウム等の金属からなり、帯電ロール21, 22, 23, 24の感光体ドラム11, 12, 13, 14の表面に接触する部分をほぼ構成する直径が大きい大径部201aと、当該大径部201aの両端に突出するように一体的に設けられた直径が小さいシャフト部201bとから構成されている。上記金属製シャフト201 の大径部201aは、例えば、直径が５ｍｍに設定されているとともに、シャフト部201bは、例えば、直径が３ｍｍに設定されている。
【００９０】
また、上記弾性体層202 は、例えば、導電性が付与されたスポンジ状の発泡ウレタンからなり、その体積抵抗値は、１０2 〜１０7 Ω・ｃｍで、例えば、１０3 Ω・ｃｍに設定されている。この弾性体層202 は、ウレタンを発泡させた後、このウレタン製の発泡体を、カーボンブラック等の導電剤が分散されて抵抗値が調整されたコート液に浸漬させることによって、全体に導電性が付与されてい  る。さらに、上記弾性体層202 は、その厚みは、１．５ｍｍに設定されており、金属製シャフト201aの外周に被覆されている。
【００９１】
さらに、上記表面層203 は、例えば、エピクロルヒドリンゴム（ＥＣＯ）からなる薄肉のチューブ状部材に形成され、その表面抵抗値は、１０6 〜１０8 Ω／□に設定されている。この表面層203 は、エピクロルヒドリンゴム中に分散させるカーボンブラック等の導電剤の量を制御することによって、所定の表面抵抗値となるように調整されている。また、上記表面層203 は、その厚みが０．５ｍｍに設定されている。
【００９２】
このように、上記帯電ロール21, 22, 23, 24は、金属製シャフト201 のニップ部における大径部201aの直径が５ｍｍに設定されているとともに、弾性体層202 の厚みが１．５ｍｍ、表面層203 の厚みが０．５ｍｍにそれぞれ設定されており、金属製シャフト201 のニップ部における大径部201aの直径（５ｍｍ）が、弾性体層202 の厚み（１．５ｍｍ）＋表面層203 の厚み（０．５ｍｍ）＝２．０ｍｍよりも大きくなるように設定されている。また、この実施の形態では、金属製シャフト201 のニップ部における大径部201aの直径（５ｍｍ）が、弾性体層202 の厚みと表面層203 の厚みの全体（４．０ｍｍ）よりも大きくなるように設定されており、このように、金属製シャフト201 のニップ部における大径部201aの直径（５ｍｍ）が、弾性体層202 の厚みと表面層203 の厚みの全体（４．０ｍｍ）よりも大きくなるように設定するのが望ましい。
【００９３】
上記の如く構成される帯電ロール21, 22, 23, 24は、その表面のアスカーＭＤ１（微小硬度）が、７０°以下となるように、この実施の形態では、アスカーＭＤ１（微小硬度）が４２°となるように設定されている。
【００９４】
さらに、この実施の形態では、感光体ドラム11, 12, 13, 14の表面に接触する第１及び第２の一次中間転写ドラム51,52 も、その表面のアスカーＭＤ１（微小硬度）が、７０°以下となるように設定されている。この場合、第１及び第２の一次中間転写ドラム51,52 の表面のアスカーＭＤ１よりも、帯電ロール21, 22, 23, 24の表面のアスカーＭＤ１が等しいかより小さくなるように設定するのが望ましい。
【００９５】
なお、上記感光体ドラム11, 12, 13, 14の表面に接触するクリーニングブラシやクリーニングブレードなどを設ける場合にあっても、当該クリーニングブラシやクリーニングブレードなどの表面のアスカーＭＤ１（微小硬度）を、７０°以下に設定するのが望ましい。
【００９６】
また、上記帯電ロール21, 22, 23, 24は、外径（直径）が約８ｍｍになるように構成されているとともに、当該帯電ロール21, 22, 23, 24の弾性体層202 の長さで決定される帯電部は、その長さがＡ４サイズの用紙に対応して２１０ｍｍに設定されている。その結果、上記帯電ロール21, 22, 23, 24は、帯電部の長さと導電性基材である金属製シャフトの直径との比が、（帯電部の長さ）／（導電性基材の直径）＝２１０／５＝４２≧４０となるように、極小径のロールであるように構成されている。一方、従来の帯電ロールは、外径が１２ｍｍ〜１４ｍｍ  で、導電性基材の直径が８ｍｍ程度に設定されており、帯電部の長さと導電性基材である金属製シャフトの直径との比が、（帯電部の長さ）／（導電性基材の直径）＝２１０／８＝２６．２５＜４０となっている。
【００９７】
上記表面層203 は、図１に示すように、その両端部203aが弾性体層202 の両端部202aよりも、所定の長さα（約２ｍｍ）だけ軸方向の外側に突出しているとともに、当該表面層203 の両端部203aは、弾性体層202 に被覆されたままの形状で円筒形状に開口するように構成されている。このように、上記表面層203 の突出量αは、当該表面層203 の厚みよりも長く設定されている。
【００９８】
また、上記表面層203 は、上述したように、薄肉のチューブ状部材に形成されており、この薄肉のチューブ状部材に形成された表面層203 は、弾性体層202 の表面に被覆されているとともに、当該弾性体層202 の表面に導電性の接着剤を介して接着されている。その際、上記表面層203 は、弾性体層202 の全長にわたって接着されている訳ではなく、図９に示すように、当該弾性体層202 の両端部に所定幅（例えば、３ｃｍ程度）の非接着領域を残して、他の領域が接着された接着領域となっている。なお、上記表面層203 と弾性体層202 との接着領域は、中央部ではなく、図１０に示すように、両端側に設定したり、軸方向に沿って複数に分割して設定するように構成してもよい。
【００９９】
上記の如く構成される帯電ロールは、例えば、金属製シャフト201 の大径部201aの外周に、弾性体層202 を所定の厚みに被覆した後、当該弾性体層202 の表面に、薄肉のチューブ状部材に形成された表面層203 を、帯電ロールの一端部側から被覆することによって設けられる。その際、上記弾性体層202 の表面に導電性の接着剤を予め塗布しておくことにより、弾性体層202 と表面層203 とが所定の接着領域にわたって接着される。
【０１００】
上記の如く構成される帯電ロール21, 22, 23, 24は、感光体ドラム11, 12, 1 3, 14 の表面との間に、所定のニップ幅（例えば、１．０ｍｍ）を形成するように、感光体ドラム11, 12, 13, 14の表面に対する食い込み量が、所定の値（例えば、０．３ｍｍ）となるように、定変位方式で取付けられている。
【０１０１】
即ち、上記帯電ロール21は、図８に示すように、感光体ドラム11やリフレッシャーロール91とともに、その両端部が軸受98a ，98b ，98c を介してブラケット99に回転自在に取付けられており、このブラケット99は、プリンタの図示しないハウジング本体に嵌め込んだ状態で、固定用の爪部材99a ，99b によって取付けられている。そして、上記感光体ドラム11のシャフト、帯電ロール21のシャフト201 、及びリフレッシャーロール91のシャフトの各軸受98a ，98b ，98c が、ブラケット99に一体に設けられているため、当該軸受98a ，98b ，98c 間の距離  で、感光体ドラム11, 12, 13, 14の表面に対する帯電ロール21, 22, 23, 24の変位量が、所定の値となるように構成されている。
【０１０２】
また、上記帯電ロール21, 22, 23, 24は、図６に示すように、金属製シャフト201 の一方のシャフト部201bに取り付けられた回転駆動用のギア204 を、図示しない感光体ドラム11, 12, 13, 14の端部に設けられたギア等に噛み合わせることにより、当該感光体ドラム11, 12, 13, 14の周速と等しい速度で回転駆動されるようになっている。
【０１０３】
ただし、上記帯電ロール21, 22, 23, 24は、当該帯電ロール21, 22, 23, 24の表面にトナー等の異物が付着するのを防止する目的等により、感光体ドラム11, 12, 13, 14の周速に対して、２〜３％程度速い周速差を持って回転駆動されるように構成しても良い。
【０１０４】
なお、この実施の形態では、帯電部材のニップ部における導電性基材の外径と、弾性体層及び表面層との厚みの関係が、
帯電部材のニップ部における導電性基材の外径＞弾性体層の厚み＋表面層の厚み
を満たす各帯電ロール21, 22, 23, 24が、少なくとも対応する感光体ドラム11, 12, 13, 14と一体的にユニット化されており、当該ユニットを画像形成装置本体に対して着脱自在に構成することもできる。この場合、帯電ロール21, 22, 23, 24が小径なので、ユニットの小型化、及び軽量化が達成できる。
【０１０５】
以上の構成において、この実施の形態１に係る帯電装置を適用した画像形成装置では、次のようにして、帯電ロールを小径化した場合でも、簡単な構造で端部のリークを防ぐことができ、しかも帯電の均一性に優れたものとなっている。
【０１０６】
すなわち、このフルカラープリンタでは、図１乃至図３に示すように、画像を形成する際に、各画像形成ユニット1, 2, 3, 4の感光体ドラム11, 12, 13, 14の表面に接触する帯電ロール21, 22, 23, 24に、その金属製シャフト201 を介して所定の直流電圧、例えば、約-900ＶのＤＣ電圧を印加することによって、当該帯電ロール21, 22, 23, 24と感光体ドラム11, 12, 13, 14の表面との間に形成される微小なギャップＧに生じる放電250 によって、感光体ドラム11, 12, 13, 14の表面を、例えば約-300Ｖ程度に帯電するようになっている。
【０１０７】
ところで、上記帯電ロール21, 22, 23, 24は、図１に示すように、その表面層203 の両端部203aが、弾性体層202 の両端部202aよりも軸方向の外側に突出しているとともに、当該表面層203 の両端部203aは、弾性体層202 に被覆されたままの形状で円筒形状に開口されているように構成されている。
【０１０８】
そのため、従来の帯電ロールのように、その両端面まで表面層で被覆した場合に比べて、図１８に示すように、帯電ロール端部の表面層が突出することによって、外形不良や、当該帯電ロールと感光体ドラム表面との不均一な接触、あるいは低温時などに帯電ロール端部の表面層内に閉じ込められた空気が収縮して表面層が凹むなど、環境変化による外形の変化などが発生することがなく、しかも、帯電ロールの両端面まで表面層で被覆する必要がないため、加工コストがアップするのを防止することができる。
【０１０９】
しかも、上記帯電ロール21, 22, 23, 24の場合には、図１に示すように、その表面層203 の両端部203aが、弾性体層202 の両端部202aよりも、所定の長さαだけ長く形成されており、軸方向の外側に突出しているため、当該帯電ロールに所定の直流電圧を印加する電源側からみて、表面層203 の突出した両端部203aは、抵抗が高くなっており、端部からのリークを簡単な構成で確実に防止することができる。また、上記帯電ロール21, 22, 23, 24の小径化に伴って、金属製シャフトと感光体ドラム表面との距離が小さくなり、リークが発生しやすくなるが、上記のごとく、帯電ロール端部の抵抗を高くすることができるため、小径化した場合でもリークの発生を確実に防止することが可能となる。さらに、上記帯電ロール21, 22, 23, 24の表面に表面処理を施したり、コート層を塗布する場合には、処理液を表面層203 の両端部203aの開口部から内側に周り込ませることができ、当該処理液によって端部の抵抗が上昇し、一段と耐リーク性が高まるという利点をも有している。
【０１１０】
また、上記帯電ロール21, 22, 23, 24は、弾性体層202 の外周に表面層203 を接着する際に、図９に示すように、軸方向の両端部に未接着領域を設けることにより、表面層203 を構成するチューブ状部材の外形精度が多少悪い場合でも、未接着領域の表面層203 と弾性体層202 との柔軟性によって、外形寸法のバラツキを吸収することができ、全領域にわたって均一にニップさせることができる。また、弾性体層202 の端部から導電性の接着剤がはみ出すと、リークが発生する虞れがあるが、弾性体層202 の両端部に未接着領域を設けることによって、リークの発生を未然に防止することができる。
【０１１１】
このように、上記実施の形態では、帯電ロールを小径化した場合でも、簡単な構造で端部のリークを防ぐことができ、しかも帯電の均一性に優れたものとなっている。
【０１１２】
実験例
本発明者らは、図２及び図３に示すようなプリンタを試作し、帯電ロール表面のアスカーＭＤ１（微小硬度）を変化させた場合に、帯電不良に基づく斑点、帯電ロールの表面にトナーの外添剤等が付着することに伴うフィルミング、及び感光体ドラムの表面にトナーの外添剤等が付着することに伴う高湿環境下における像流れであるデリーションの発生の程度を調べる実験を行った。
【０１１３】
図１１は上記実験の結果を示すものである。
【０１１４】
図１１において、斑点のグレードは、××が低温低湿環境下でＡ４サイズの用紙を１００枚プリントした時の斑点の発生枚数が２１枚以上である場合、×が低温低湿環境下でＡ４サイズの用紙を１００枚プリントした時の斑点の発生枚数が２０枚以下１１枚以上である場合、○が低温低湿環境下でＡ４サイズの用紙を１００枚プリントした時の斑点の発生枚数が１０枚以下２枚以上である場合、◎が低温低湿環境下でＡ４サイズの用紙を１００枚プリントした時の斑点の発生枚数が１枚以下である場合をそれぞれ示している。
【０１１５】
また、フィルミングのグレードは、××が低温低湿環境下でＡ４サイズの用紙を３０００枚以下プリントする間に、２０％のハーフトーン中に白または黒すじが発生した場合、×が低温低湿環境下でＡ４サイズの用紙を５０００枚以下プリントする間に、２０％のハーフトーン中に白または黒すじが発生した場合、○が低温低湿環境下でＡ４サイズの用紙を１００００枚以下プリントする間に、２０％のハーフトーン中に白または黒すじが発生した場合、◎が低温低湿環境下でＡ４サイズの用紙を１００００枚以上プリントした際に、２０％のハーフトーン中に白または黒すじが発生した場合をそれぞれ示している。
【０１１６】
さらに、デリーションのグレードは、×が低温低湿環境下でＡ４サイズの用紙を３０００枚プリントした後、高温高湿環境下で２０％のハーフトーンをプリントする際に白すじが発生した場合、○が低温低湿環境下でＡ４サイズの用紙を３０００枚プリントした後、高温高湿環境下で２０％のハーフトーンをプリントする際に白すじが未発生の場合、◎が低温低湿環境下でＡ４サイズの用紙を３０００枚プリントした後、高温高湿環境下で１０００枚以上２０％のハーフトーンをプリントしても白すじが未発生の場合をそれぞれ示している。
【０１１７】
その結果、図１１から明らかなように、帯電ロール表面のアスカーＭＤ１（微小硬度）を、７０度以下に設定することにより、斑点、フィルミング、デリーションのすべてにおいて、良好であることがわかる。
【０１１８】
なお、図１２乃至１４は、帯電ロール21, 22, 23, 24の表面層203 を、厚み  ０．０５ｍｍのＰＶｄＦ等からなるチューブ状部材によって極薄肉に形成したものを示している。
【０１１９】
実施の形態２
図１５乃至図１７はこの発明の実施の形態２を示すものであり、前記実施の形態１と同一の部分には同一の符号を付して説明すると、この実施の形態２に係る帯電部材は、その表面のイオン化ポテンシャルが、４．８以上に設定されるように構成されている。
【０１２０】
すなわち、この実施の形態２に係るタンデム型のフルカラープリンタは、前記実施の形態１と同様に、帯電ロール21, 22, 23, 24の上流側に、感光体ドラム1 1, 12, 13, 14 の表面に付着した異物を除去するクリーニング装置を備えていない、所謂クリーナーレスの画像形成装置となっている。そのため、このタンデム型のフルカラープリンタでは、次に説明するように、クリーニング装置以外に、感光体ドラム11, 12, 13, 14の表面に付着したトナー等の異物を除去するシステムを採用している。ただし、そのままでは、感光体ドラム11, 12, 13, 14の表面に強く付着したトナー等を除去することが困難な場合もある。
【０１２１】
よって、この実施の形態に係るタンデム型のフルカラープリンタでは、図３に示すように、感光体ドラム11, 12, 13, 14の表面に付着したトナー等の異物や、第１及び第２の一次中間転写ドラム51,52 、並びに二次中間転写ドラム53の表面に付着したトナー等の異物を、掻き乱すことによって、クリーニング装置以外の除去システムを有効に作用させる、回転駆動されるブラシ等からなるリフレッシャーと呼ばれる掻乱部材91，9 ２，93，94，95，96，9 ７が設けられている。
【０１２２】
そこで、このような帯電装置21, 22, 23, 24に付着したトナーによる濃度ムラの発生を防ぐために、この実施の形態では、印字動作前、印字動作後、連続印字持の所定枚数毎など、ある所定のタイミングで以下のような、クリーニング装置によらないクリーニング動作を行なうようになっている。
【０１２３】
上記帯電装置21, 22, 23, 24、感光体ドラム11, 12, 13, 14、第１及び第２の一次中間転写ドラム51,52 、二次中間転写ドラム53、最終転写ロール60に、最終転写ロール60が最もマイナス電位が高くなるように、順々に電位勾配をつけた電圧を印加することによって、印字動作中に、帯電装置21, 22, 23, 24に付着、堆積した逆極性の（＋）帯電トナーを、最終転写ロール60まで順々に転写して移動し、最終転写ロール60に接触して設けたブレードなどの最終クリーニング部材801 を含んだクリーニング装置80によって回収する。
【０１２４】
この実施の形態では、帯電装置21, 22, 23, 24の表面電位を０Ｖ、感光体ドラム11, 12, 13, 14の表面電位を-300Ｖ、第１及び第２の一次中間転写ドラム51,52 の表面電位を-800Ｖ、二次中間転写ドラム53の表面電位を-1300 Ｖ、最終転写ロール60の表面電位を-2000 Ｖに設定している。この電位勾配は、各部材の金属部（シャフト、パイプ）に電圧を給電する方式によって得ているが、例えば、第１及び第２の一次中間転写ドラム51,52 又は二次中間転写ドラム53などを電気的に浮かせて、これら部材の抵抗値の関係によって所望の表面電位が得られる場合には、そのような方法をとっても良い。このようなマイナス印加クリーニングモード、つまり逆極性の（＋）帯電トナー回収モードによって帯電装置21, 22, 2 3, 24 に付着したトナーによる濃度ムラの発生を防ぐことができる。
【０１２５】
なお、必要に応じて、通常の（−）極性に帯電したトナーであって、感光体ドラム11, 12, 13, 14や第１及び第２の一次中間転写ドラム51,52 、及び二次中間転写ドラム53の表面に残留したトナーを、同様の方法にて（印加する電圧の極性のみを反転することによって）除去することができる。
【０１２６】
ところで、この実施の形態２では、帯電ロール21, 22, 23, 24表面のイオン化ポテンシャルが、４．８以上となるように設定することにより、クリーニングサイクルにおいて、帯電ロール21, 22, 23, 24の表面電位と、感光体ドラム11, 1 2, 13, 14 の表面電位との間に、所定の電位差を持たせることによって、当該帯電ロール21, 22, 23, 24の表面に付着した正規帯電極性のトナーや逆帯電極性のトナーを、静電気的に除去する際に、これらの正規帯電極性のトナーや逆帯電極性のトナーを効率良く除去することができ、画質欠陥を問題とならない程度に低減するように構成したものである。
【０１２７】
上記帯電ロール21, 22, 23, 24の表面層203 は、その表面のイオン化ポテンシャルが、４．８ｅＶ以上に設定されるように構成されている。この表面層203   は、当該表面層203 を構成する材料として、イオン化ポテンシャルが４．８ｅＶ以上の用いても勿論よいし、当該表面層203 の表面に、表面処理を施したり、コート層を設けることによって、その表面のイオン化ポテンシャルが４．８ｅＶ以上となるように構成しても良い。
【０１２８】
上記表面層203 を構成する材料としては、例えば、イオン化ポテンシャルが  ４．８３ｅＶであるＥＴＦＥ（エチレン・４フッ化エチレン共重合体）が用いられる。また、上記表面層203 を構成する材料としては、例えば、イオン化ポテンシャルが４．４９ｅＶであるエピクロルヒドリンゴム（ＥＣＯ）が用いられ、当該エピクロルヒドリンゴム（ＥＣＯ）からなる表面層203 に、ＳＣなる表面処理を施すことによって、イオン化ポテンシャルが４．８ｅＶとなるように構成される  ここで、図１５中、ＳＣ処理とは、イソシアネート（ＮＣＯ）（１５重量  部）＋フッ素系樹脂（２重量部）＋溶剤（８３重量部）からなる処理液に２３℃で約３０秒浸漬後、１２０℃のオーブンで約１時間加熱して行う処理のことをいう。イソシアネートとしては、例えば、ＭＲ−４００日本ポリウレタン社製）  が、フッ素系樹脂としては、Ｖフロン＃２００（大日本塗料社製）が、溶剤としては、酢酸エチルが、それぞれ用いられる。
【０１２９】
また、ＰＶｄＦはポリフッ化ビニリデンであり、ＰＶｄＦ＋Ｅは、ＰＶｄＦにエラストマーをいれて樹脂を柔らかくしたものである。
【０１３０】
さらに、ＥＣＯ＋ＰＨＴは、エピクロルヒドリンゴムの表面にＰＨＴ膜をコーティングしたものであり、ＰＨＴは、アクリル系表面コート材料で、ＰＨＴ（ＳＧＴ社製）を使用した。なお、表面コート後１５分間風乾した。
【０１３１】
又、ＥＣＯ＋９６ＳＰは、９６ＳＰとはシリコン系表面コート材料：ＫＦ−９６ＳＰ（信越シリコンーン社製）を使用し、エアゾール吹付け後、５分間風乾した。
【０１３２】
ところで、本発明者らは、上記のごとく、帯電ロール21, 22, 23, 24や感光体ドラム11, 12, 13, 14等に、電位勾配をつけた電圧を印加することによって、帯電ロール21, 22, 23, 24の表面等に付着したトナーを除去する際に、当該帯電ロール21, 22, 23, 24表面のイオン化ポテンシャルが、トナーの除去性に影響していることを見出した。
【０１３３】
そのため、本発明者らは、図１５に示すように、表面層203 を形成する材料  や、表面処理または表面コートとして、イオン化ポテンシャルが異なる帯電ロール21, 22, 23, 24を試作し、当該帯電ロール21, 22, 23, 24の表面に付着するトナーの量や、クリーニングサイクルを実施したときの残トナー量、あるいは初期画質と、汚れた際の画質を調べる実験を行った。なお、使用したトナーの比重  は、１．２であった。
【０１３４】
図１６及び図１７は上記実験の結果を示すものである。プリンタとしては、図２及び図３に示すものを使用している。
【０１３５】
図１６は、帯電ロール21, 22, 23, 24の表面に付着したトナーの量（ｇ／ｍ2 ）と、プリント画質との関係を示すものである。
【０１３６】
この図１６から明らかなように、帯電ロール21, 22, 23, 24表面の汚れが多いと、画質が悪くなる傾向があることがわかる。画質上、問題のないレベルのグレード１とするためには、帯電ロール21, 22, 23, 24表面の汚れ量は、０．２５  （ｇ／ｍ2 ）以下であることが重要である。
【０１３７】
ここで、図１６中、横軸は、帯電ロール21, 22, 23, 24表面のトナー付着量  を、縦軸は、画質でグレード”０”が良好な場合を示している。なお、画質グレードは、０：まったく不具合なし、１：極めて軽微な不具合あり、２：軽微な不具合あり、３：許容できる、４：見苦しく発生、５：極めて見苦しく発生、６：問題外とし、許容範囲をグレード２以下を合格とする。また、画質の評価に関しては、光学  第１２巻第４号（１９８３年８月）”複写機における画像の評価”ｐｐ２６７〜２７７を参考にして評価した。
【０１３８】
図１７は、帯電ロール21, 22, 23, 24表面のＩＰ値と、クリーニングサイクル後の帯電ロール21, 22, 23, 24表面に残留したトナー量（クリーニング残トナー量）（ｇ／ｍ2 ）との関係を示している。なお、帯電ロール21, 22, 23, 24表面のイオン化ポテンシャル（ＩＰ）の値は、光電子放出装置ＡＣ−１（理研計器  製）にて測定した。
【０１３９】
図１６の結果から、帯電ロール21, 22, 23, 24表面のトナー残量を、０．２５（ｇ／ｍ2 ）以下とする必要があることから、帯電ロール21, 22, 23, 24表面のＩＰ値として、４．８ｅＶ以上であることが、重要となる。
【０１４０】
図１５の表の中から、帯電ロール表面の汚れと画質グレードを図にしたものが図１６で、図１６より、帯電ロール表面の汚れ量が０．２５ｇ／ｍ2 以下であれば、画質グレードが許容値となることがわかる。また、初期画質で画質グレードが２及び２のものは、１枚プリントで帯電ロール表面にトナーが付着し、画質劣化を発生させていることがわかり、良好な画質を維持するためには、クリーニングサイクルを１枚プリント毎に行う必要があることがわかった。また、イオン化ポテンシャル（ＩＰ）の値が４．８未満の材料では、例えば、ＰＶｄＦにエラストマーを入れてやわらかく処理したものでは、イオン化ポテンシャル（ＩＰ）の値はほとんど変化しないが、クリーニング後のトナー量は影響されることを見出した。イオン化ポテンシャル（ＩＰ）の値が４．８以上のものでは、例えば、ＥＣＯ＋ＳＣの材料で処理の方法を変えて表面状態（アスカーＭＤ１硬度４０°〜７０°、表面粗さＲｚ４μｍ〜１２μｍ）を変化させても、クリーニング後のトナー量に変化はなく、イオン化ポテンシャル（ＩＰ）の値が４．８以上であることが重要であることを見出した。
【０１４１】
ここで、図１７中、横軸は、帯電ロール21, 22, 23, 24表面のＩＰ値を、縦軸は、クリーニング残トナー量を示している。
【０１４２】
その他の構成及び作用は、前記実施の形態１と同様であるので、その説明を省略する。
【０１４３】
なお、前記実施の形態では、帯電部材を被帯電体の表面を帯電する場合に用いた場合について説明したが、当該帯電部材は、転写用もしくは除電用に使用するように構成しても良い。
【０１４４】
【発明の効果】
以上述べたように、この発明によれば、帯電ロールを小径化した場合でも、簡単な構造で端部のリークを防ぐことができ、しかも帯電の均一性に優れた帯電装置及びこれを用いた画像形成装置を提供することができる。
【０１４５】
また、請求項２に記載の発明によれば、帯電部材は、導電性の基材と、当該導電性基材の表面に順次被覆される少なくとも弾性体層と表面層とを有し、前記表面層は、その両端部が弾性体層の両端部よりも軸方向の外側に突出しているとともに、当該表面層の両端部は、弾性体層に被覆され、かつ、開口されており、前記帯電部材のニップ部における導電性基材の外径と、弾性体層及び表面層との厚みの関係が、
帯電部材のニップ部における導電性基材の外径＞弾性体層の厚み＋表面層の厚み
を満たすことで、帯電ロールの小径化が達成でき、同時に導電性基材の小径化等に伴い、帯電ロールの軽量化も達成することができる。
【図面の簡単な説明】
【図１】  図１（ａ）（ｂ）はこの発明の実施の形態１に係る帯電装置をそれぞれ示す断面構成図及び要部斜視部である。
【図２】  図２はこの発明の実施の形態１に係る帯電装置を適用した画像形成装置としてのタンデム型のフルカラープリンタを示す構成図である。
【図３】  図３はプリントヘッドを示す構成図である。
【図４】  図４は最終転写ロールを示す断面図である。
【図５】  図５は最終転写ロールのクリーニング装置を示す断面図である。
【図６】  図６はこの発明の実施の形態１に係る帯電装置の帯電ロールを示す外観斜視図である。
【図７】  図７はこの発明の実施の形態１に係る帯電装置の帯電ロールを示す一部破断の要部斜視図である。
【図８】  図８は帯電ロールの定変位の当接方式を示す構成図である。
【図９】  図９は帯電ロールの接着領域を示す説明図である。
【図１０】  図１０は帯電ロールの接着領域を示す説明図である。
【図１１】  図１１は実験結果を示す図表である。
【図１２】  図１２はこの発明の実施の形態１に係る帯電装置の帯電ロールの他の例を示す外観斜視図である。
【図１３】  図１３はこの発明の実施の形態１に係る帯電装置の帯電ロールの他の例を示す要部斜視図である。
【図１４】  図１４はこの発明の実施の形態１に係る帯電装置の帯電ロールを示す一部破断の要部斜視図である。
【図１５】  図１５は実験結果を示す図表である。
【図１６】  図１６は実験結果を示すグラフである。
【図１７】  図１７は実験結果を示すグラフである。
【図１８】  図１８は従来の帯電ロールを示す説明図である。
【図１９】  図１９は従来の帯電ロールにおける画質欠陥を示す説明図であ  る。
【符号説明】  21, 22, 23, 24：帯電ロール（帯電部材）、201 ：金属製シャフト、202 ：弾性体層、203 ：表面層。
【図１】
0003729123.tif 000002
【図２】
0003729123.tif 000003
【図３】
0003729123.tif 000004
【図４】
0003729123.tif 000005
【図５】
0003729123.tif 000006
【図６】
0003729123.tif 000007
【図７】
0003729123.tif 000008
【図８】
0003729123.tif 000009
【図９】
0003729123.tif 000010
【図１０】
0003729123.tif 000011
【図１１】
0003729123.tif 000012
【図１２】
0003729123.tif 000013
【図１３】
0003729123.tif 000014
【図１４】
0003729123.tif 000015
【図１５】
0003729123.tif 000016
【図１６】
0003729123.tif 000017
【図１７】
0003729123.tif 000018
【図１８】
0003729123.tif 000019
【図１９】
0003729123.tif 000020